(57)【要約】      （修正有）【課題】コンクリートと鋼材の合成構造物において、上部からの侵入水がコンクリート中に貯留して、コンクリート強度が劣化することを防止する工法を提供する。【解決手段】鋼材構造物にコンクリートを打設する前に、鋼材１上面にエポキシ系樹脂接着剤を噴霧塗布し、コンクリート２下面の止水層５となす。排水孔６は、鋼材と止水層５を貫通するプラスチック製の排水孔６を設け、鋼材に排水が接触しないようにする。【選択図】図５
2006125174.tif 000002
【特許請求の範囲】
【請求項１】
コンクリートと鋼材を強度的に合成する梁・床版構造物等の，鋼コンクリート合成構造物において，コンクリートと鋼材が接するコンクリート面に，エポキシ樹脂系接着剤を用いて止水層を形成し，コンクリートから浸透する水を鋼材に接触させないようにして鋼材の腐食を防止する鋼材腐食防止工法．
【請求項２】
コンクリートと鋼材を強度的に合成する梁・床版構造物等の，鋼コンクリート合成構造物において，コンクリートと鋼材が接するコンクリート面に，エポキシ樹脂系接着剤を用いて止水層を形成しコンクリート中に貯留する水を，鋼材を貫通するプラスチックの排水孔を用いて，鋼材に接しないように排水する工法．
【発明の詳細な説明】
【技術分野】
【０００１】  本発明は，コンクリートの下面に鋼材を配置し合成構造とした梁や床版構造物で，鋼材の上部にコンクリートを打設し一体構造とする構造物に関するものである．この構造物にコンクリート上面からコンクリート中に浸入した水がコンクリート下面に接続する鋼材を腐食させるのを防止することを目的とした技術に関する．
【背景技術】
【０００２】  コンクリートと鋼材の合成構造物は，強度的或いは施工的に利点を有し，建築構造物や土木構造物の道路橋の床版構造物や梁構造物に多用されている．合成構造物に作用する自重や外力に対して，コンクリートと鋼材は一体になって抵抗するものである．故に，鋼材が内部から腐食すると，構造物の耐力機能は低下する．また，コンクリート中に浸入した水がコンクリート中に貯留されると，コンクリートの強度に悪影響を与える．【０００３】  コンクリート中に外部から水を入れないように，コンクリート上面に防水工を施すことが行われているが，防水工は長期的な安定性に欠け，コンクリート中に水が浸入することを完全に防止することが出来ないのが現状である．【０００４】  現状の技術では，コンクリート中に浸入した水を排水するために，鋼材にモニタリングホールと称する孔を設け排水している．しかし，コンクリート中の水が，この孔は集まるか否かは不明で，鋼材に浸入水による腐食防止の対策は完全に行えないのが現状である．
【発明の開示】
【発明が解決しようとする課題】
【０００３】  コンクリートと鋼材の合成構造物の梁や床版構造物の鋼材の腐食防止は，鋼材の外面は腐食調査を行い，腐食防止塗装等の防止策を講じることにより行われている．しかし，コンクリートに接する鋼材の内面は腐食調査や腐食防止工を実施することが出来ない欠点を有する．【０００４】  また，コンクリートと鋼材の合成構造物は荷重が作用して変形する時，両者の変形量が異なるので，両者の接続は部分的に剥離する可能性がある．この剥離部分にコンクリートの上面から浸入する雨水等の水が溜まり，鋼材を内面から腐食させる．コンクリート上面には防水工が行われるが，雨水等の侵入を完全に防止することは出来ない．また，コンクリートと鋼材の剥離を防止することも出来ない．本発明が解決しようとする課題は，コンクリート上面からコンクリート中に進入する雨水等の水を鋼材に接触させないことである．請求項１は本課題を解決するものである．【０００５】  コンクリートと鋼材の合成構造物は，上部からの浸入水がコンクリート中に貯留すると，コンクリート強度の劣化を促進させる．これを防止するために現状の対策は，鋼材に排水用の１０ｍｍ前後の直径を有する孔を設けてコンクリートと鋼材の間に貯留する水を排水するようにしている．この排水用の孔の最良の設置間隔は解明されておらず様々な間隔で設けられているのが現況である．排水用の孔が有効に排水機能を発揮しているのは否かは不明である．請求工２は本課題を解決するものである．
【課題を解決するための手段】
【０００６】  コンクリートが鋼材と接触するコンクリートの最下面部に，エポキシ樹脂系接着剤で止水層を形成させ，コンクリート上面から浸入する雨水等の水と鋼材を接触させないようにし，鋼材の腐食を防止するものである．特許請求項１はコンクリート最下面に止水層を形成させるものである．【０００７】  特許請求項２は，コンクリート最下面に貯留した浸入水を鋼材に接触させずに構造物外に排出する排水装置に関するものである．コンクリート下面にエポキシ樹脂系接着剤で形成する止水層と鋼材を貫通するプラスチック製の排水孔を設け，コンクリート中に貯留する水を，鋼材に接触させることなく排水させる孔を設けるものである．
【発明の効果】
【０００８】  本発明の請求項１は，コンクリート下面の止水層は，コンクリート内の水と鋼材の接触を防ぎ，鋼材の腐食を防止することが可能で，鋼．とコンクリート合成構造物の鋼材内面腐食を防止し，長期的な強度安定性を維持するのに好適である．【０００９】  本発明の請求項２の排水孔は，請求項１で示したコンクリート下面の止水工のために滞留した侵入水を排水し，コンクリートの強度低下防止と鋼材の腐食防止を行うものである．従来の技術の排水孔では，排水する水が鋼材に接触し排水孔周辺の鋼材を腐食させる恐れがある．本発明の排水孔は鋼材に接触することなく排水されるので，鋼材の腐食を防止するのに好適である．
【発明を実施するための最良の形態】
【０００１０】  請求項１のコンクリート下部に止水層を形成する方法は，施工現場において，鋼材を設置した後，コンクリートを打設する前に，鋼材表面にエポキシ樹脂系接着剤を厚さ数十ミクロン以上に噴霧塗布し，その上部にコンクリートを打設する．施工の要点は，エポキシ樹脂系接着剤の可使時間内にコンクリートを打設することと，止水層の膜厚の管理を行う必要がある．【０００１１】  請求項２の排水孔の設置は，鋼材表面にエポキシ樹脂系接着剤を塗布前に，鋼材に貫通する孔を設け，孔の周囲にプラスチック製の円筒を取り付ける．
孔の上部は蓋を設けコンクリート打設時にコンクリートが流出しないようにしておく．コンクリートの硬化後に孔の下部より回転ドリル等で孔の上部に設けた蓋とエポキシ樹脂系接着剤で形成された止水層を破壊撤去し排水機能を生じさせる．
【図面の簡単な説明】
【図１】  コンクリートと鋼材を合成した床版を用いた標準的な道路橋の断面図を示す．
【図２】  図１の道路橋断面図のＡ−Ａ断面の拡大詳細を示すもので，舗装．橋面防水工，鉄筋・鉄骨コンクリート，鋼材の構成を示す．
【図３】  本発明のコンクリート下面の止水工を用い，コンクリートと鋼材を合成した床版を用いた標準的な道路橋の断面図を示す．
【図４】  図３の道路橋断面図のＢ−Ｂ断面部の拡大詳細を示すもので，舗装．橋面防水工，鉄筋・鉄骨コンクリート，本発明のコンクリート下面止水工，鋼材の構成を示す．
【図５】  請求項２の排水孔の設置要領を示す．
【図６】  図５のＣ−Ｃ断面部の拡大詳細を示す．
【図７】  本発明の排水孔の拡大図を示す．
【符号の説明】
【０００１７】  以下に図中の符号の内容を示す．
▲１▼  コンクリートと鋼材を合成した床版の鋼材部分（鋼板）
▲２▼  コンクリートと鋼材を合成した床版のコンクリート部分（鉄筋・鉄骨コンクリート）
▲３▼  橋面の舗装（アスファルト）と橋面防水工
▲４▼  コンクリートと鋼材を合成した床版を支える主桁
▲５▼  本発明のコンクリート下面の止水工
▲６▼  本発明の排水孔
【図１】
2006125174.tif 000003
【図２】
2006125174.tif 000004
【図３】
2006125174.tif 000005
【図４】
2006125174.tif 000006
【図５】
2006125174.tif 000007
【図６】
2006125174.tif 000008
【図７】
2006125174.tif 000009